(57)【要約】【課題】送り主や受取り主の個人情報の漏洩を防止可能で、必要最小限の情報のみを目視可能に表示し、その他の個人情報はＲＦＩＤリーダーなどを使用しない限りはこれを目視できないようにするとともに、配送作業に不便がないようにして、配送作業の効率化を可能とした配送伝票および配送情報管理方法を提供すること。【解決手段】漏洩を防止しようとしている住所や電話番号などの配送情報は台紙（ＲＦＩＤ台紙３）に設けたＲＦＩＤインレット１１に電子情報として記憶させることに着目し、送り主および受取り主をその表面に印字可能であるラベル本体２をその表面に仮着しているとともに、アンテナ１４およびＩＣチップ１２を有するＲＦＩＤインレット１１を備えたＲＦＩＤ台紙３を有し、送り主および受取り主の住所および電話番号などは、ＲＦＩＤインレット１１のＩＣチップ１３にこれを記憶させるようにしたことを特徴とする。【選択図】図２
2008137317.tif 000002
【特許請求の範囲】
【請求項１】
配送物にその送り主および受取り主を表示するための配送伝票であって、
前記送り主および前記受取り主をその表面に印字可能であるとともに、その裏面の粘着剤層により前記配送物に貼り付け可能なラベル本体と、
このラベル本体をその表面に仮着しているとともに、アンテナおよびＩＣチップを有するＲＦＩＤインレットを備えたＲＦＩＤ台紙と、
を有し、
前記送り主および前記受取り主の住所および電話番号は、前記ＲＦＩＤインレットの前記ＩＣチップにこれを記憶させるようにしたことを特徴とする配送伝票。
【請求項２】
前記ＲＦＩＤインレットは、これを前記ＲＦＩＤ台紙の裏面側に設けたことを特徴とする請求項１記載の配送伝票。
【請求項３】
前記ＲＦＩＤ台紙は、これを前記ＲＦＩＤインレット自体から構成することを特徴とする請求項１記載の配送伝票。
【請求項４】
配送物にその送り主および受取り主を表示するための配送伝票により当該送り主および受取り主に関する配送情報を管理する配送情報管理方法であって、
前記配送伝票は、
前記送り主および前記受取り主をその表面に印字可能であるとともに、その裏面の粘着剤層により前記配送物に貼り付け可能なラベル本体と、
このラベル本体をその表面に仮着しているとともに、アンテナおよびＩＣチップを有するＲＦＩＤインレットを備えたＲＦＩＤ台紙と、
を有し、
前記送り主および前記受取り主の住所および電話番号は、前記ＲＦＩＤインレットの前記ＩＣチップにこれを記憶させるとともに、
前記ＲＦＩＤ台紙は、前記配送物とともに配送員がこれを携帯し、ＲＦＩＤリーダーにより前記配送情報を読み取り可能とするようにしたことを特徴とする配送情報管理方法。
【発明の詳細な説明】
【技術分野】
【０００１】
本発明は配送伝票および配送情報管理方法にかかるもので、とくに個人情報の漏洩を防止可能とした配送伝票および配送情報管理方法に関するものである。
【背景技術】
【０００２】
一般に、荷物（配送物）を宅配便などにより配送を依頼する際には、その送り主は、所定書式の配送伝票に、送り主の氏名、住所、電話番号、および受取り主の氏名、住所、電話番号、さらに荷物の内容ないし品名、配送希望日などの必要事項を記入するとともに、記入した配送伝票を荷物に貼り付けるようにしていた。
この配送伝票が貼り付けられた荷物は、コンビニエンスストアなどの宅配取扱い所あるいは宅配業者に預けられ、集めた荷物を集配センターにおいて仕分け作業が行われて、受取り主に配送される。
【０００３】
この配送作業の際に配送員は、配送伝票に記載ないし表示されている各種の配送情報を参照することにより、送り主や受取り主の氏名、住所、電話番号、あるいは配送物の種類などの確認などを行っている。
また、当該荷物が複数個となる場合には、配送伝票に荷物の個数（個口数）を記載し、その配送伝票を複写してそれぞれの荷物に貼り付け、宅配取扱い所において、配送伝票に記載の個数と、この配送伝票の複製が貼り付けられた荷物の個数と、を照合し、確認している。なお、配送伝票が複写式になっていない場合には、複写機によりコピーする必要があるとともに、コピーした伝票をそれぞれの荷物に貼り付けるための糊やテープが必要である。
【０００４】
こうした配送システムにおいて、配送伝票の記載情報（配送情報）を参照して、送り主や受取り主を確認するために、送り主および受取り主の氏名、住所、電話番号などの個人情報を目視可能に表示することが必要であり、本来第三者には知られたくない個人情報を容易に確認することができてしまうという問題がある。また、個人情報としては、配送する内容物（荷物）の品名などから推測される送り主と受取り主との関係などもある。
さらに、荷物の仕分け人や配送員など、配送の各工程において多くの人間がその配送伝票記載の情報を参照するため、より広範囲に個人情報が漏洩しかねないという問題がある。
とくに、荷物が複数個となっている場合には、この漏洩の可能性がさらに増大するもので、個人情報漏洩防止のために何らかの方策が要望されていた。
【０００５】
また、配送物に貼り付けられている配送伝票のみに上記配送情報が表示されており、配送物と配送情報とが常に一体的になっているため、配送員にとっては、配送を確実かつ円滑に行うためには、かえって不便となる場合がある。
たとえば、受取り主の氏名、住所あるいは電話番号を確認するために、常に配送伝票すなわち配送物自体を手元においておく必要があり、配送情報確認のために配送用トラックをその都度停車し、その荷台において配送物の配送伝票を見なければならず、作業効率の低下は避けられないという問題がある。
【０００６】
【特許文献１】特開平１０−２４６２６号公報
【発明の開示】
【発明が解決しようとする課題】
【０００７】
本発明は以上のような諸問題にかんがみなされたもので、送り主や受取り主の個人情報の漏洩を防止可能な配送伝票および配送情報管理方法を提供することを課題とする。
【０００８】
また本発明は、配送物の配送時に、必要最小限の情報のみを目視可能に表示し、その他の個人情報は、所定の機器（ＲＦＩＤリーダーなど）を使用しない限りはこれを目視することができないようにした配送伝票および配送情報管理方法を提供することを課題とする。
【０００９】
また本発明は、漏洩を防ぎたい情報については、電子情報として管理可能な配送伝票および配送情報管理方法を提供することを課題とする。
【００１０】
また本発明は、宅配する配送員などが、配送作業に不便がないようにして、配送作業の効率化を可能とした配送伝票および配送情報管理方法を提供することを課題とする。
【課題を解決するための手段】
【００１１】
すなわち本発明は、ＲＦＩＤ（Ｒａｄｉｏ  Ｆｒｅｑｕｅｎｃｙ  Ｉｄｅｎｔｉｆｉｃａｔｉｏｎ）技術による、無線により非接触で情報（配送情報）の読取りや書込みを行うことができるＲＦＩＤインレットを用いること、配送物に貼り付けるラベル本体には送り主および受取り主の氏名や個口数など必要最小限の配送情報のみを表示すること、漏洩を防止しようとしている住所や電話番号などの配送情報は台紙（ＲＦＩＤ台紙）に設けたＲＦＩＤインレットに電子情報として記憶させることに着目したもので、第一の発明は、配送物にその送り主および受取り主を表示するための配送伝票であって、上記送り主および上記受取り主をその表面に印字可能であるとともに、その裏面の粘着剤層により上記配送物に貼り付け可能なラベル本体と、このラベル本体をその表面に仮着しているとともに、アンテナおよびＩＣチップを有するＲＦＩＤインレットを備えたＲＦＩＤ台紙と、を有し、上記送り主および上記受取り主の住所および電話番号は、上記ＲＦＩＤインレットの上記ＩＣチップにこれを記憶させるようにしたことを特徴とする配送伝票である。
【００１２】
第二の発明は、配送物にその送り主および受取り主を表示するための配送伝票により当該送り主および受取り主に関する配送情報を管理する配送情報管理方法であって、上記配送伝票は、上記送り主および上記受取り主をその表面に印字可能であるとともに、その裏面の粘着剤層により上記配送物に貼り付け可能なラベル本体と、このラベル本体をその表面に仮着しているとともに、アンテナおよびＩＣチップを有するＲＦＩＤインレットを備えたＲＦＩＤ台紙と、を有し、上記送り主および上記受取り主の住所および電話番号は、上記ＲＦＩＤインレットの上記ＩＣチップにこれを記憶させるとともに、上記ＲＦＩＤ台紙は、上記配送物とともに配送員がこれを携帯し、ＲＦＩＤリーダーにより上記配送情報を読み取り可能とするようにしたことを特徴とする配送情報管理方法である。
【００１３】
上記ＲＦＩＤインレットは、これを上記ＲＦＩＤ台紙の裏面側に設けることができる。
【００１４】
上記ＲＦＩＤ台紙は、これを上記ＲＦＩＤインレット自体から構成することができる。
【発明の効果】
【００１５】
本発明による配送伝票および配送情報管理方法においては、従来はラベルを剥がしたあとでは廃棄するはずの台紙にＲＦＩＤインレットを設けてＲＦＩＤ台紙とし、ＲＦＩＤインレットのＩＣチップに送り主や受取り主の住所や電話番号などの配送情報を電子情報として記憶するようにしたので、漏洩する可能性がある配送情報を専用のリーダー（ＲＦＩＤリーダー）などを用いない限りは目視不可能とすることができ、個人情報を適正に管理してその漏洩を的確に防止可能である。
さらに、配送員は配送用トラックなどに乗車して作業する配送現場で、このＲＦＩＤ台紙のＲＦＩＤインレットをＲＦＩＤリーダーによってＩＣチップのデータを読み取ることができ、配送物に貼り付けられている配送ラベル（ラベル本体）を見る必要がなく、たとえば運転席にいるままでもＲＦＩＤ台紙が手元にあれば配送情報を確認可能であって、配送時の作業性向上を期待することができる。
【発明を実施するための最良の形態】
【００１６】
本発明は、情報（個人情報）を電子的に記憶可能なＲＦＩＤインレットをラベル本体ではなく、ラベル本体を仮着している台紙（ＲＦＩＤ台紙）側に設けるようにしたので、台紙を廃棄することなく、電子データの記憶媒体として活用可能となり、個人情報の漏洩防止はもちろん、配送作業性の能率向上に寄与することができる配送伝票および配送情報管理方法を実現した。
【実施例】
【００１７】
つぎに本発明の実施例による配送伝票１および配送情報管理方法を図１ないし図８にもとづき説明する。
図１は、配送伝票１の平面図、図２は、同、配送伝票１の縦断面図であって、配送伝票１は、配送物にその送り主および受取り主を表示するためのものであって、ラベル本体２と、ＲＦＩＤ台紙３（剥離紙）と、を有する。
【００１８】
ラベル本体２は、任意の上質紙あるいは合成紙などからこれを構成し、その表面に印字が可能であるとともに、その裏面の粘着剤層４により配送物に貼り付け可能である。
ラベル本体２自体は、これを単葉の形態とすることもできるし、その複数枚を帯状のＲＦＩＤ台紙３に仮着して、後述する印字およびデータ書込みののちに単葉に切断するように構成することもできる。
印字内容としては、送り主氏名欄５、受取り主氏名欄６、個口数欄７および管理用バーコード欄８がある。
送り主氏名欄５および受取り主氏名欄６には、それぞれ送り主の名前、および受取り主の名前を印字して表示するものであるが、それぞれの住所および電話番号などは、後述するようにＲＦＩＤ台紙３側（ＲＦＩＤインレット１１）に記録する。
個口数欄７は、配送物（荷物）が複数個になる場合に、その数を記入する欄である。
管理用バーコード欄８は、取り扱う配送物を特定するための管理番号をバーコードにより印字して表示するものである。
【００１９】
ＲＦＩＤ台紙３は、その台紙９の表面側に塗布した剥離剤層１０により、ラベル本体２をその表面に仮着しているとともに、ＲＦＩＤインレット１１を備えている。
ＲＦＩＤインレット１１は、基板フィルム１２と、この基板フィルム１２上に配線したＩＣチップ１３およびアンテナ１４と、を有し、無線により非接触でデータ交信が可能である。
このＲＦＩＤインレット１１のＩＣチップ１３に、送り主氏名欄５および受取り主氏名欄６に表示したそれぞれの氏名に対応する送り主および受取り主の住所および電話番号、さらには配送物の内容（品名や割れ物か食品かなどの特性その他）を記憶させるものとする。
【００２０】
図３は、配送伝票１に印字およびデータ記録を行うためのＲＦＩＤプリンター１５の概略説明図であって、ＲＦＩＤプリンター１５は、制御部１６と、データ入力部１７と、印字部１８と、データ記録部１９と、必要であればデータ読取り部２０（バーコードリーダー）と、を有する。
【００２１】
制御部１６は、上記各部を制御するもので、データ入力部１７により入力された送り主や受取り主の氏名、住所、電話番号、その他のデータにもとづき、印字部１８において送り主氏名欄５、受取り主氏名欄６、個口数欄７および管理用バーコード欄８に印字するとともに、送り主や受取り主の住所、電話番号その他漏洩を防止したい情報をデータ記録部１９においてＲＦＩＤ台紙３内のＲＦＩＤインレット１１のＩＣチップ１３に書き込んで記録する。
なお、配送物が複数個ある場合には、制御部１６がその個口数情報にもとづき、図３に示すように、その複数個口用のバーコードラベル２１を３枚（あるいは２枚）印字発行するか、あるいは、データ読取り部２０（バーコードリーダー）により配送伝票１の管理用バーコード欄８を読み取って複数個口用のバーコードラベル２１を印字発行するものとする。複数個口用のバーコードラベル２１には、何個口の何番目かを識別可能な個口の連番のバーコード情報と、管理用バーコード欄８におけるバーコード情報と、を印字してある。
【００２２】
本発明において、ＲＦＩＤ台紙３にＲＦＩＤインレット１１を設けるための形態には各種のものを採用することができる。
たとえば、図４は、ＲＦＩＤ台紙３にＲＦＩＤインレット１１を設けるための第１の形態による配送伝票２２の縦断面図であって、配送伝票２２においては、ＲＦＩＤ台紙３（台紙９）の裏面にＲＦＩＤインレット１１を設けている。
すなわち、ＲＦＩＤ台紙３の裏面側にインレット用粘着剤層２３を設けて、ＲＦＩＤインレット１１を貼り付けている。
【００２３】
図５は、ＲＦＩＤ台紙３にＲＦＩＤインレット１１を設けるための第２の形態による配送伝票２４の縦断面図であって、配送伝票２４においては、配送伝票２２（図４）の構成に追加して、ＲＦＩＤインレット１１のさらに裏面に保護層２５を設けている。
【００２４】
図６は、ＲＦＩＤ台紙３にＲＦＩＤインレット１１を設けるための第３の形態による配送伝票２６の縦断面図であって、配送伝票２６においては、ＲＦＩＤ台紙３は、これをＲＦＩＤインレット１１自体から構成している。
すなわち、ＲＦＩＤインレット１１の基板フィルム１２をラベル本体２と同じ大きさおよび形状に形成し、この基板フィルム１２がラベル本体２の粘着剤層４に対向するその表面側にインレット用剥離剤層２７を形成し、インレット用剥離剤層２７の反対側にＩＣチップ１３およびアンテナ１４を配線している。
なお、ＩＣチップ１３およびアンテナ１４の保護用として、保護シート２８を被覆することもできる。
【００２５】
図７は、ＲＦＩＤ台紙３にＲＦＩＤインレット１１を設けるための第４の形態による配送伝票２９の縦断面図であって、配送伝票２９においては、配送伝票２６（図６）と同様に、ＲＦＩＤ台紙３は、これをＲＦＩＤインレット１１自体から構成している。
すなわち、ＲＦＩＤインレット１１として、上層保護フィルム３０および下層保護フィルム３１を有するものを準備し、上層保護フィルム３０の表面側にインレット用剥離剤層２７を塗布し、ＲＦＩＤインレット１１自体をＲＦＩＤ台紙３と同様の機能を持たせて、ラベル本体２から剥離可能とする。
【００２６】
こうした構成の配送伝票１（図１）、配送伝票２２（図４）、配送伝票２４（図５）、配送伝票２６（図６）、あるいは配送伝票２９（図７）を用いて配送物を配送する方法および本発明による配送情報管理方法について説明する。
図８は、本発明による配送伝票を用いて配送物を配送する方法および配送情報管理方法を説明するための全体概略説明図である。
送り主Ｓは、配送物Ｍを持って宅配依頼所（たとえばコンビニエンスストアＣ）において、送り主Ｓおよび受取り主Ｒの氏名、住所、電話番号、さらに配送物Ｍの内容ないし品名、配送希望日などの必要事項を申込み用紙に記入し、配送を依頼する。
宅配依頼所Ｃでは、ＲＦＩＤプリンター１５を用いて、既述のようにように、印字部１８により配送伝票１に送り主Ｓや受取り主Ｒの氏名のみを印字し、データ記録部１９によりそれぞれの氏名とともに住所や電話番号、さらに配送物Ｍの内容ないし品名、配送希望日などの必要事項をＲＦＩＤインレット１１のＩＣチップ１３に記録して配送伝票１を発行する。
この配送伝票１の発行ののちは、氏名、住所、電話番号などを記載した上記申込み用紙は不要となるため、送り主Ｓはこれを持ち帰るか、あるいは破棄するかにより、この申込み用紙からの個人情報の漏洩を防止可能である。
【００２７】
配送伝票１のラベル本体２をＲＦＩＤ台紙３から剥離して、これを配送物Ｍに貼り付けるとともに、剥がしたＲＦＩＤ台紙３を配送物Ｍと一緒に取り扱って配送センターＤに集荷する。
なお、配送物Ｍが複数個ある場合には、複数個口用のバーコードラベル２１を必要数だけ印字発行し、それぞれの配送物Ｍに貼り付ける。このバーコードラベル２１の台紙は、何のデータも保持していないので、従来と同様に破棄可能である。
【００２８】
配送センターＤにおいて集荷された配送物Ｍについて、ＲＦＩＤ台紙３のＲＦＩＤインレット１１から必要なデータをサーバー３２が読み取って蓄積するとともに、配送物Ｍの配送ルートを導き出す。
ついで配送物Ｍは、配送員により受取り主Ｒに、あるいは長距離の場合には他の配送センターＤを介して受取り主Ｒに配送される。
【００２９】
この配送の際に、ＲＦＩＤ台紙３は、配送物Ｍとともに配送員がこれを携帯するもので、たとえば配送員が配送トラックＴの運転席にいても、この運転席にＲＦＩＤ台紙３を携帯していれば、ＲＦＩＤリーダー３３を用いてＲＦＩＤ台紙３の内容、とくに送り主Ｓや受取り主Ｒの住所および電話番号のデータを読み取り可能である。
したがって、配送物Ｍないしラベル本体２において従来のようにいちいち住所や電話番号を確認するために配送トラックＴの荷台まで行く必要がなく、もちろん、配送トラックＴを停車させる必要もない。
たとえば、受取り主Ｒが留守であるような場合に、再度の訪問を連絡するために電話番号を確認したいときなど、種々の事態に対応することが容易となって、配送作業性を向上可能である。
さらに、配送完了後には、このＲＦＩＤ台紙３を回収することにより、配送データの管理にも活用が可能であるとともに、ＲＦＩＤインレット１１のＩＣチップ１３内のデータを初期化することによりＲＦＩＤインレット１１を再利用することも可能である。
【００３０】
なお、配送物Ｍに貼ってある配送伝票１（ラベル本体２）の表示領域に従来と同様に、送り主Ｓや受取り主Ｒの住所や電話番号などが目視可能に表示されていたとしても、ラベル本体２のこれら表示領域を見なくても、ＲＦＩＤ台紙３をＲＦＩＤリーダー３３によりデータ読取りするだけで必要な情報を得ることができる。
【００３１】
かくして、送り主Ｓや受取り主Ｒのとくに住所や電話番号などの個人情報（配送情報）を配送物Ｍに直接表示することなく、かつ、これら個人情報を目視することができる人員を配送員やサーバー管理者など必要最小限に限ることが可能となり、個人情報の漏洩を極力防止することができる。
しかも、これら漏洩を防止したい配送情報をＩＣチップ１３に書き込んだＲＦＩＤ台紙３を携帯することにより配送情報を適正に管理可能であるとともに、配送員の作業性を向上させることが可能である。
【図面の簡単な説明】
【００３２】
【図１】本発明の実施例による配送伝票１の平面図である。
【図２】同、配送伝票１の縦断面図である。
【図３】同、配送伝票１に印字およびデータ記録を行うためのＲＦＩＤプリンター１５の概略説明図である。
【図４】同、ＲＦＩＤ台紙３にＲＦＩＤインレット１１を設けるための第１の形態による配送伝票２２の縦断面図である。
【図５】同、ＲＦＩＤ台紙３にＲＦＩＤインレット１１を設けるための第２の形態による配送伝票２４の縦断面図である。
【図６】同、ＲＦＩＤ台紙３にＲＦＩＤインレット１１を設けるための第３の形態による配送伝票２６の縦断面図である。
【図７】同、ＲＦＩＤ台紙３にＲＦＩＤインレット１１を設けるための第４の形態による配送伝票２９の縦断面図である。
【図８】本発明による配送伝票１を用いて配送物Ｍを配送する方法および配送情報管理方法を説明するための全体概略説明図である。
【符号の説明】
【００３３】
１  配送伝票（実施例、図１）
２  ラベル本体
３  ＲＦＩＤ台紙（図２）
４  粘着剤層
５  送り主氏名欄
６  受取り主氏名欄
７  個口数欄
８  管理用バーコード欄
９  台紙
１０  剥離剤層
１１  ＲＦＩＤインレット（図２）
１２  基板フィルム
１３  ＩＣチップ
１４  アンテナ
１５  ＲＦＩＤプリンター（図３）
１６  制御部
１７  データ入力部
１８  印字部
１９  データ記録部
２０  データ読取り部（バーコードリーダー）
２１  複数個口用のバーコードラベル
２２  配送伝票（図４）
２３  インレット用粘着剤層
２４  配送伝票（図５）
２５  保護層
２６  配送伝票（図６）
２７  インレット用剥離剤層
２８  保護シート
２９  配送伝票（図７）
３０  上層保護フィルム
３１  下層保護フィルム
３２  サーバー（図８）
３３  ＲＦＩＤリーダー
Ｓ    送り主（図８）
Ｒ    受取り主
Ｍ    配送物
Ｃ    宅配依頼所（たとえばコンビニエンスストア）
Ｄ    配送センター
Ｔ    配送トラック
【図１】
2008137317.tif 000003
【図２】
2008137317.tif 000004
【図３】
2008137317.tif 000005
【図４】
2008137317.tif 000006
【図５】
2008137317.tif 000007
【図６】
2008137317.tif 000008
【図７】
2008137317.tif 000009
【図８】
2008137317.tif 000010